(57)【要約】【課題】構造が簡素で、部品点数が少なく、量産性に優れ、成型フィルタの内部に簡便に取り付けることができ、組立作業性に優れると共に、成型フィルタの内方及び外方への変形を確実に防止することができ、固定の安定性、形状保持の確実性に優れる形状保持具の提供。【解決手段】（ａ）成型フィルタの内側でヒダ部を挟持する挟持部と、挟持部に連設されヒダ部より成型フィルタの軸心側に突出する保持部と、を有する固定具と、（ｂ）成型フィルタの複数のヒダ部に同一円周上に配置される複数の固定具の保持部で保持される環状部材又は複数の固定具の隣接する固定具同士を連結する連結部材と、を備えている。【選択図】図３
2010259978.tif 000002
【特許請求の範囲】
【請求項１】
複数のヒダ部を有し、水平断面が菊型に形成される成型フィルタに内設される形状保持具であって、
（ａ）前記成型フィルタの内側で前記ヒダ部を挟持する挟持部と、前記挟持部に連設され前記ヒダ部より前記成型フィルタの軸心側に突出する保持部と、を有する固定具と、
（ｂ）前記成型フィルタの複数の前記ヒダ部に同一円周上に配置される複数の前記固定具の前記保持部で保持される環状部材又は複数の前記固定具の隣接する前記固定具同士を連結する連結部材と、
を備えたことを特徴とする形状保持具。
【請求項２】
前記固定具の前記挟持部が、対向配置される一対の挟持片と、各々の前記挟持片の挟持面に形成された凹凸部と、を有し、前記一対の挟持片の一端側が弾性を有する連結部で連結され、
（ａ）前記固定具の前記保持部に、前記環状部材が係合される係合部が形設され、前記環状部材が、一巻きのコイル状に形成され、その両端部から延設された摘み部若しくはその両端部近傍に突設された摘み部を備えた又は（ｂ）前記固定具の前記保持部に、前記連結部材の端部が固定される固定部が形設され、前記連結部材が、コイルバネ状に形成されたことを特徴とする請求項１に記載の形状保持具。
【請求項３】
複数のヒダ部を有し水平断面が菊型に形成される成型フィルタと、前記成型フィルタに内設された請求項１又は２に記載の形状保持具と、を有し、前記形状保持具の複数の前記固定具と、前記環状部材又は前記連結部材が、前記成型フィルタの長手方向に１段乃至複数段配設されていることを特徴とするバグフィルタ。
【発明の詳細な説明】
【技術分野】
【０００１】
本発明は、パルスジェット形の払い落とし機構を備えた集塵機に用いられる成形フィルタの形状を保持する形状保持具及びそれを備えたバグフィルタに関するものである。
【背景技術】
【０００２】
従来、集塵機のバグフィルタとして、含塵気流を通過させて粉塵を分離捕集する円筒状の濾布と、濾布の形状を保持するため濾布を内側から支持する支持枠（リテーナ）と、を備えたものが用いられている。集塵機を運転すると、バグフィルタは粉塵を捕集して運転時間の経過とともに吸引力の損失が大きくなるので、捕集した粉塵を間欠的に又は連続的に払い落とす必要があり、このような払い落とし機構を備えたものとして、パルスジェット形の集塵機がある。
一方、集塵機の小型化や濾過性能の向上を目的として、新素材の濾布や成型フィルタなどが開発されてきている。
この成型フィルタ（フィルタ本体）は、水平断面が複数のヒダ部を有する菊型（或いは星形）に形成されており、円筒状の濾布で形成されるフィルタに比べ、フィルタ本体が変形し難いが、吸引濾過時に内方に変形することを防止するために、ケージ（リテーナ）やパンチングメタルを円筒状に形成した内挿体が配設されることが一般的である。
また、パルスジェットによる払い落としによって、フィルタ本体が外方に膨らんだまま元に戻らなくなることを防止するために、フィルタ本体の外周に所定間隔でバンド状の変形防止具を備えたものもある。
しかし、フィルタ本体の目詰まりが払い落としによっても回復しない場合や、フィルタ本体が破損した場合には、使用できる状態にあるケージやベンチュリ等の部品も、フィルタ本体と共に廃棄されており、省資源性、環境保護性に欠けるという問題点があった。
この問題点を解決するものとして、例えば、（特許文献１）には、「フイルタの全体を、所定の形状に成形した消耗品の濾紙体と、この濾紙体の上下両端部に取付ける上面及び底面の各フイルタプレート、濾紙体の内部に挿入する補強用のケージ、及び、濾紙体の上端部内側に取付ける圧縮エアー吹込み用のベンチュリから成る非消耗品の各種パーツ類とに分割形成して、これ等非消耗品の各種パーツ類を上記消耗品の濾紙体に組付けて構成したことを特徴とするパルスジェット式集塵機用フイルタ」が開示されている。
【先行技術文献】
【特許文献】
【０００３】
【特許文献１】特開平８−３８８３９号公報
【発明の概要】
【発明が解決しようとする課題】
【０００４】
（１）（特許文献１）では、消耗品の濾紙体（フィルタ本体）と、非消耗品の各種パーツ類を分割形成することにより、濾紙体のみを廃棄し、各種パーツ類を再使用することができるが、ケージが複数の縦杆とリング杆によって形成されるため、ケージの部品点数が多く、量産性に欠けると共に、ケージの質量が増加し易く、取扱い性に欠け、フィルタの長尺化が困難であるという課題を有していた。また、縦杆とリング杆で一体化されたケージを濾紙体に着脱可能に固定するために、上面と底面に各々フィルタプレートが必要であり、量産性に欠けるという課題を有していた。さらに、濾紙体の内部にケージが配設されることにより、濾紙体の内方への変形を規制することはできるが、濾紙体とケージの縦杆やリング杆が直接固定されていないので、パルスジェットによる払い落とし（逆洗）時に、濾紙体の外方への変形を規制することができず、濾紙体が破損することや濾紙体が外方に膨らんだまま元に戻らなくなることがあり、濾紙体の耐久性、濾過性能の安定性に欠けるという課題を有していた。
（２）ケージの代わりに、パンチングメタルを円筒状に形成した内挿体が配設されたものでは、濾紙体の内方への変形を全長に渡って確実に防止することができるが、吸引濾過時の抵抗が大きく、濾過の効率性に欠けると共に、質量が増加し易く、取扱い性、省資源性に欠けるという課題を有していた。また、ケージと同様に、濾紙体の内方への変形は規制できるが、濾紙体の外方への変形を規制することができず、濾紙体の形状保持性に欠けるという課題を有していた。
（３）フィルタ本体の外周に所定間隔でバンド状の変形防止具を備えたものでは、変形防止具が十分な剛性を有し、フィルタ本体と変形防止具の要所が直接固定されることにより、フィルタ本体の内方及び外方への変形を防止することができるが、フィルタ本体の外周が変形防止具で覆われることにより、濾過面積が低下し易くなるだけでなく、フィルタ本体の外周と変形防止具との隙間や変形防止具の表面に付着した粉塵を払い落とすことが困難で、変形防止具の周辺に粉塵が堆積して濾過性能が低下し易く、濾過の効率性、フィルタのメンテナンス性、長寿命性に欠けるという課題を有していた。
【０００５】
本発明は上記従来の課題を解決するもので、構造が簡素で、部品点数が少なく、量産性に優れ、成型フィルタの内部に簡便に取り付けることができ、組立作業性に優れると共に、成型フィルタの内方及び外方への変形を確実に防止することができ、固定の安定性、形状保持の確実性に優れる形状保持具の提供及びその形状保持具を備えることにより、成型フィルタの形状を確実に保持することができ、吸引濾過時及び逆洗時の成型フィルタの変形を確実に防止して、成型フィルタの破損を防ぐことができ、濾過の効率性、濾過性能の安定性、成型フィルタの長寿命性に優れるバグフィルタの提供を目的とする。
【課題を解決するための手段】
【０００６】
上記従来の課題を解決するために本発明の形状保持具及びそれを備えたバグフィルタは、以下の構成を有している。
本発明の請求項１に記載の形状保持具は、複数のヒダ部を有し、水平断面が菊型に形成される成型フィルタに内設される形状保持具であって、（ａ）前記成型フィルタの内側で前記ヒダ部を挟持する挟持部と、前記挟持部に連設され前記ヒダ部より前記成型フィルタの軸心側に突出する保持部と、を有する固定具と、
（ｂ）前記成型フィルタの複数の前記ヒダ部に同一円周上に配置される複数の前記固定具の前記保持部で保持される環状部材又は複数の前記固定具の隣接する前記固定具同士を連結する連結部材と、を備えた構成を有している。
この構成により、以下のような作用が得られる。
（１）固定具が、成型フィルタの内側でヒダ部を挟持する挟持部を有するので、挟持部で成型フィルタのヒダ部を挟持するだけで簡便に固定具を固定することができ、組立作業性に優れる。
（２）固定具が、挟持部に連設されヒダ部より成型フィルタの軸心側に突出する保持部を有するので、成型フィルタの複数のヒダ部に同一円周上に複数の固定具を配置することにより、成型フィルタの内周に沿うように環状部材を保持することや隣接する固定具同士を連結部材で連結することができ、組立作業性、成型フィルタの形状保持性に優れる。
（３）環状部材が、同一円周上に配置される複数の固定具で保持され、或いは連結部材が、同一円周上に配置される複数の固定具の隣接する固定具同士を連結することにより、複数の固定具が環状部材又は連結部材で連結されるので、従来のリテーナのような縦線材が不要で、部品点数を低減して軽量化を図ることができ、量産性、省資源性に優れる。
（４）吸引濾過によって成型フィルタが内方に変形しようとしても、成型フィルタの内周側に環状部材又は連結部材が配設された箇所では、成型フィルタの変形を防止することができるので、成型フィルタ全体として変形量を小さく抑えて破損の発生を低減でき、成型フィルタの耐久性、長寿命性に優れる。
（５）成型フィルタのヒダ部に固定された複数の固定具が環状部材又は連結部材を介して連結されることにより、パルスジェットによる逆洗時に成型フィルタが外方に変形しようとしても、環状部材又は連結部材が配設された箇所では、複数の固定具によって成型フィルタの変形を防止することができるので、成型フィルタ全体として変形量を抑えて破損の発生を低減でき、耐久性、長寿命性に優れると共に、環状部材間又は連結部材間で外方に膨らんだ成型フィルタを内方に引き戻し、成型フィルタが膨らんだままになることを防止でき、形状保持性に優れる。
【０００７】
ここで、固定具及び環状部材又は連結部材の材質は、使用される環境（温度）等に応じて、金属製や合成樹脂製のものも選択することができるが、耐久性のあるステンレス鋼や耐熱性及び機械的強度に優れた合成樹脂等が好適に用いられる。環状部材としては、成型フィルタの断面形状に合わせて、線材を溶接等で接合して略円形や略楕円形に形成されたものが好適に用いられるが、半径方向に弾性変形し易くなるように、切れ目を入れてもよい。また、連結部材としては、コイルバネ（弦巻バネ）のように弾性によって長さ方向に伸縮するものが好適に用いられる。
固定具は、挟持部により、成型フィルタの内側でヒダ部を挟持できるものであればよい。固定具は、保持部との係止や嵌合によって環状部材を保持するものが好適に用いられる。例えば、鉛直状の板材の保持部の上端部、下端部或いは側部等に円弧状に切り欠いた係合部を形成し、環状部材を係合してもよいし、バネ性を有する板材を略半円筒状に湾曲させて形成した嵌合部に環状部材を嵌合してもよい。
尚、固定具は、フィルタ本体にヒダ部となる折り目をつけ、平面上に展開した状態で簡便に取り付けることができ、全ての固定具を取り付けてから端部同士を接合し、菊型に形成すればよい。
【０００８】
同一面内に配設する固定具の数は適宜、選択することができるが、３個乃至８個が好適に用いられる。固定具の数が３個より少なくなるにつれ、環状部材を安定して保持することが困難になる傾向があり、８個より多くなるにつれ、部品点数が増え、組立作業が煩雑となって生産性が低下し易くなる傾向があり、いずれも好ましくない。
また、固定具の配置は適宜、選択することができるが、等角度間隔に配置することが好ましい。固定具によって挟持されるヒダ部の位置が偏り、成型フィルタがいびつに変形することを防止するためである。
【０００９】
請求項２に記載の発明は、請求項１に記載の形状保持具であって、前記固定具の前記挟持部が、対向配置される一対の挟持片と、各々の前記挟持片の挟持面に形成された凹凸部と、を有し、前記一対の挟持片の一端側が弾性を有する連結部で連結され、（ａ）前記固定具の前記保持部に、前記環状部材が係合される係合部が形設され、前記環状部材が、一巻きのコイル状に形成され、その両端部から延設された摘み部若しくはその両端部近傍に突設された摘み部を備えた又は（ｂ）前記固定具の前記保持部に、前記連結部材の端部が固定される固定部が形設され、前記連結部材が、コイルバネ状に形成された構成を有している。
この構成により、請求項１で得られる作用に加え、以下のような作用が得られる。
（１）固定具の挟持部が、対向配置される一対の挟持片を有し、一対の挟持片の一端側が弾性を有する連結部で連結されるので、連結部の弾性により対向配置される挟持片の隙間を簡便に調整して成型フィルタのヒダ部への着脱を行うことができ、着脱作業性に優れる。
（２）固定具の挟持部が、各々の挟持片の挟持面に形成された凹凸部を有することにより、凹凸部の噛み合いによって成型フィルタのヒダ部を強固に挟持することができ、固定具の上下方向や前後方向への移動や抜けを確実に防止することができ、固定の確実性、安定性に優れる。
（３）固定具の保持部に、環状部材が係合される係合部を形設した場合、環状部材を確実に保持して複数の固定具を強固に連結することができ、少ない部品点数で、成型フィルタの内方及び外方への変形を効率的に防止でき、形状保持の安定性、確実性に優れる。
（４）固定具の保持部に、連結部材の端部が固定される固定部を形設した場合、隣接する固定具同士を連結部材で簡便に連結することができ、少ない部品点数で、成型フィルタの内方及び外方への変形を効率的に防止でき、形状保持の安定性、確実性に優れる。
（５）一巻きのコイル状に形成した環状部材やコイルバネ状に形成した連結部材は、弾性によって固定具と共に半径方向に伸縮させることができ、成型フィルタの内方及び外方への変形を完全に拘束することなく、弾性的な微小変形を許容することにより、固定具の挟持部とヒダ部との間に応力が集中することを防ぎ、固定具の脱落や成型フィルタの破損等を防止でき、耐久性、長寿命性に優れる。
（６）一巻きのコイル状に形成された環状部材が弾性を有するので、半径方向に収縮又は拡大させた状態で環状部材を係合部に係合させることにより、環状部材が係合部に強固に保持され、環状部材の脱落を確実に防止することができ、固定の安定性に優れる。
（７）コイルバネ状に形成された連結部材が弾性を有するので、隣接する固定具の保持部に形設された固定部に、連結部材を伸張又は圧縮させた状態で固定することにより、連結部材が隣接する固定具間に強固に保持され、連結部材の脱落を確実に防止することができ、固定の安定性に優れる。
（８）一巻きのコイル状に形成された環状部材の両端部から延設された摘み部又はその両端部近傍に突設された摘み部を有する場合、摘み部を手で摘んで円周方向に移動させるだけで簡便に環状部材を半径方向に伸縮させてその直径を変化させることができ、固定具の保持部に形成された係合部への着脱を容易に行うことができ、着脱作業性に優れる。
（７）成型フィルタと固定具或いは固定具と環状部材若しくは連結部材が、接着や溶接などの固定手段で固定されていないので、不具合が発生した場合に、容易に交換できると共に、成型フィルタの廃棄時に回収して繰り返し使用することができ、省資源性、環境保護性に優れる。
【００１０】
ここで、挟持片の挟持面に形成される凹凸部は、互いに噛み合うものが好適に用いられる。例えば、一方の挟持面に凸部を形成し、他方の挟持面の凸部に対応する位置に凹部を形成してもよいし、両方の挟持面に凸部又は凹部のいずれかをピッチをずらして形成してもよい。凸部及び凹部の形状としては、半球状、三角錐状、四角錐状などが好適に用いられる。また、凸部を卸し金の刃のようにかぎ爪状に形成した場合、凸部がヒダ部の表面に食い込んで位置ずれを防止でき、固定の安定性に優れる。凹凸部を構成する凸部及び凹部の数や配置は、挟持面の面積や形状に応じて、適宜、選択することができる。尚、凹凸部は、少なくとも挟持面の表面に凹凸が形成されていればよいが、凹部の代わりに、挟持片を貫通する嵌合孔を穿設してもよい。また、凸部や凹部の代わりに、凸条や凹条で網目状（格子状）やローレット状の凹凸部を形成してもよい。
【００１１】
固定具の保持部に形成される係合部の形状は、環状部材の直径よりも大きめの円弧状に形成することが好ましい。また、固定具の保持部に形成される固定部の形状は、連結部材の端部を固定できるものであればよい。例えば、連結部材の端部にフック状の係止部を形設し、固定具の保持部に固定部としてフック状の切り欠き部や係止孔を形設してもよいし、連結部材の端部に環状の係止部を形設し、固定具の保持部に固定部としてフック状の切り欠き部を形設してもよい。尚、係合部や固定部は、保持部ではなく、連結部に形成してもよい。
環状部材の摘み部は、一巻きのコイル状に形成された環状部材の両端部を折曲して形成してもよいし、両端部近傍に線材を溶接して形成してもよい。２箇所の摘み部は、それぞれ任意の方向に設けることができるが、同方向に設けた場合、片手で握って簡便に操作することができ、操作性に優れる。特に、鉛直方向や水平方向に設けた場合、握り易く、操作し易いので、好ましい。
【００１２】
本発明の請求項３に記載のバグフィルタは、複数のヒダ部を有し水平断面が菊型に形成される成型フィルタと、前記成型フィルタに内設された請求項１又は２に記載の形状保持具と、を有し、前記形状保持具の複数の前記固定具と、前記環状部材又は前記連結部材が、前記成型フィルタの長手方向に１段乃至複数段配設された構成を有している。
この構成により、以下のような作用が得られる。
（１）成型フィルタに形状保持具を内設することにより、吸引濾過時における成型フィルタ（フィルタ本体）の要所における変形を抑え、成型フィルタの破損の発生を低減でき、耐久性、長寿命性に優れると共に、逆洗時に外方に膨らんだ成型フィルタを内方に引き戻し、成型フィルタが膨らんだままになることを防止でき、形状保持性に優れる。
（２）形状保持具を固定具と環状部材又は連結部材のみで構成し、従来のリテーナのような縦線材を使用しないので、部品点数を低減して軽量化を図ることができ、成型フィルタを長尺化して濾過性能を向上させることができる。
（３）形状保持具を成型フィルタに内設することにより、成型フィルタの濾過面積を低減させることなく、成型フィルタの形状を確実に保持することができると共に、粉塵の払い落としを確実に行って濾過性能の低下を防ぐことができ、濾過の効率性、安定性に優れる。
（４）形状保持具の複数の固定具と環状部材又は連結部材を、成型フィルタの長手方向に１段乃至複数段配設することにより、様々な長さの成型フィルタに対応してその形状を確実に保持することができ、設計自在性、汎用性に優れる。
【００１３】
ここで、成型フィルタはプリーツ成型により菊型に形成することができる。耐熱性が必要とされる場合の成型フィルタとしては、例えば、ガラス繊維のような耐熱性を持ちかつ高温での形態安定性に優れた無機繊維の基布にポリテトラフルオロエチレン（ＰＴＦＥ）繊維やポリフェニレンサルファイド（ＰＰＳ）繊維のような耐熱性、濾過性に優れた有機繊維をニードルパンチなどにより植設することにより濾過層を形成したものが好適に用いられる。また、耐熱性が要求されない一般の場合には、ポリエステル、ナイロン、アクリルなどの合成繊維素材の織布若しくは不織布で形成された濾布に、フェノール樹脂やメラミン樹脂などの熱硬化性樹脂を含浸させ、所定温度に加熱し樹脂を硬化させることによりプリーツ形状などの所定形状に成型したものが好適に用いられる。
形状保持具の固定具と環状部材又は連結部材の長手方向の配置数や配置間隔は、成型フィルタの断面積や長さに応じて、適宜、選択することができる。尚、成型フィルタは、菊形の円筒状に限らず、菊形の楕円筒状に形成してもよい。その場合、環状部材の形状も、成型フィルタの形状に応じて、楕円形に形成すればよい。
【００１４】
形状保持具の固定具の挟持部は、成型フィルタのヒダ部を挟持するだけでもよいが、必要に応じて、接着してもよい。形状保持具の固定具の挟持部を、成型フィルタのヒダ部に接着することにより、固定具を確実かつ強固に固定することができ、固定の確実性、安定性、耐久性、形状保持の信頼性に優れるためである。
このとき、接着剤は、バグフィルタが使用される環境（温度）や成型フィルタ及び固定具の材質等に応じて、適宜、選択することができる。
尚、固定具の挟持部の挟持面に凹凸部を形成した場合、アンカー効果により接着力を向上させることができ、固定の確実性、耐久性に優れる。
【発明の効果】
【００１５】
以上のように、本発明の形状保持具及びそれを備えたバグフィルタによれば、以下のような有利な効果が得られる。
請求項１に記載の発明によれば、
（１）挟持部で成型フィルタのヒダ部を挟持するだけで簡便に固定具を固定することができ、組立作業性に優れ、複数の固定具が環状部材又は連結部材を介して連結されることにより、吸引濾過時及び逆洗時における成型フィルタの内方及び外方への変形を抑え、成型フィルタの破損の発生を低減して、耐久性、長寿命性を向上させると共に、外方に膨らんだ成型フィルタを内方に引き戻して、成型フィルタが膨らんだままになることを防止できる形状保持性に優れた形状保持具を提供することができる。
【００１６】
請求項２に記載の発明によれば、請求項１の効果に加え、
（１）一巻きのコイル状に形成した環状部材又はコイルバネ状に形成した連結部材が弾性を有することにより、成型フィルタの内方及び外方への変形を完全に拘束することがなく、弾性的な微小変形を許容して固定具の挟持部とヒダ部との間に応力が集中することを防ぎ、固定具の脱落や成型フィルタの破損等を防止できる耐久性、長寿命性に優れた形状保持具を提供することができる。
【００１７】
請求項３に記載の発明によれば、
（１）形状保持具が固定具と環状部材又は連結部材のみで構成され、複数の固定具が環状部材又は連結部材で連結されることにより、従来のリテーナのような縦線材を使用する必要がなく、部品点数を低減して軽量化を図ることができ、成型フィルタの長尺化が可能で、濾過性能を向上させることができるだけでなく、形状保持具が成型フィルタに内設されることにより、成型フィルタの濾過面積を低減させることなく成型フィルタの形状を確実に保持することができ、粉塵の払い落としを確実に行って濾過性能の低下を防ぐことができる濾過の効率性、安定性に優れた形状保持具を提供することができる。
【図面の簡単な説明】
【００１８】
【図１】（ａ）本発明の実施の形態１における形状保持具の固定具を示す斜視図（ｂ）本発明の実施の形態１における形状保持具の固定具を平面上に展開した状態を示す斜視図
【図２】本発明の実施の形態１における形状保持具の環状部材を示す斜視図
【図３】本発明の実施の形態１における形状保持具を備えたバグフィルタを示す要部破断斜視図
【図４】（ａ）本発明の実施の形態１における形状保持具を備えたバグフィルタの要部断面側面図（ｂ）図４（ａ）の要部拡大図
【図５】（ａ）実施の形態２における形状保持具を備えたバグフィルタを示す要部破断斜視図（ｂ）実施の形態２における形状保持具の要部拡大斜視図
【発明を実施するための形態】
【００１９】
以下、本発明を実施するための最良の形態を、図面を参照しながら説明する。
（実施の形態１）
図１（ａ）は本発明の実施の形態１における形状保持具の固定具を示す斜視図であり、図１（ｂ）は本発明の実施の形態１における形状保持具の固定具を平面上に展開した状態を示す斜視図である。
図１（ａ）中、１はステンレス鋼等の金属や合成樹脂等で形成された実施の形態１における形状保持具の固定具、２は一対の挟持片２ａ，２ｂが対向配置されて形成された固定具１の挟持部、６ａ，６ｂは挟持部２の各々の挟持片２ａ，２ｂから連設された固定具１の保持部、７ａは保持部６ａ，６ｂの上面側に形設され、後述する形状保持具の環状部材を挿通するための切り欠き部、７ｂは切り欠き部７ａの奥に略円弧状に形成され、切り欠き部７ａから挿通された環状部材が係合される係合部、７ｃは係合部７ｂの上方に切り欠き部７ａ側に突出するように形成された係止爪、８は断面略円弧状に形成されて弾性を有し、一対の挟持片２ａ，２ｂの一端側を連結する挟持部２の連結部である。
【００２０】
図１（ｂ）中、３ａ，３ｂは挟持片２ａ，２ｂの内側の挟持面、４ａ，４ｂは各々の挟持片２ａ，２ｂの挟持面３ａ，３ｂに形成された凹凸部、５ａは挟持面３ａの凹凸部４ａを構成する半球状の凸部、５ｂは凸部５ａに対応して挟持面３ｂの凹凸部４ｂを構成する半球状の凹部である。
本実施の形態では、一方の挟持面３ａに凸部５ａを形成し、他方の挟持面３ｂに凹部５ｂを形成して、それぞれの凹凸部４ａ，４ｂとしたが、挟持片２ａ，２ｂの挟持面３ａ，３ｂに形成される凹凸部４ａ，４ｂはこれに限定されるものではない。両方の挟持面３ａ，３ｂに凸部５ａ又は凹部５ｂのいずれかをピッチをずらして形成し、互いに噛み合うようにしてもよい。また、凹部５ｂの代わりに、挟持片２ｂを貫通する嵌合孔を穿設してもよいし、凸部５ａや凹部５ｂの代わりに、凸条や凹条で網目状（格子状）やローレット状の凹凸部を形成してもよい。凸部５ａ及び凹部５ｂの形状としては、半球状以外に、三角錐状や四角錐状などが好適に用いられる。また、凸部５ａを卸し金の刃のようにかぎ爪状に形成した場合、位置ずれを防止でき、固定の安定性に優れる。尚、凹凸部４ａ，４ｂを構成する凸部５ａ及び凹部５ｂの数や配置は、挟持面３ａ，３ｂの面積や形状に応じて、適宜、選択することができる。本実施の形態のように、凸部５ａ及び凹部５ｂを縦横に整列させる以外に、千鳥状に配置してもよい。
【００２１】
図２は本発明の実施の形態１における形状保持具の環状部材を示す斜視図である。
図２中、１０はステンレス鋼等の金属や合成樹脂等で略一巻きのコイル状に形成された実施の形態１における形状保持具の環状部材、１０ａ，１０ｂは環状部材１０の両端部から鉛直方向に延設された摘み部である。
環状部材１０が略一巻きのコイル状に形成されているので、弾性により半径方向に伸縮させることができる。このとき、両端部に摘み部１０ａ，１０ｂを有するので、摘み部１０ａ，１０ｂを手で握って近づける方向に移動させると、半径が大きくなり、手を離すと復元力により元の半径に戻る。
本実施の形態では、一巻きのコイル状に形成された環状部材１０の両端部を折曲して摘み部１０ａ，１０ｂを一体に形成したが、環状部材１０がステンレス鋼等の金属製の場合、両端部近傍に同種の金属製の線材を溶接して形成してもよい。尚、２箇所の摘み部１０ａ，１０ｂは、鉛直方向や水平方向などの同方向に設けることにより、片手で握って簡便に操作することができ、操作性に優れるが、それぞれ任意の方向に設けることもできる。
尚、固定具１及び環状部材１０の材質は、使用される環境（温度）等に応じて、金属や合成樹脂の中から、適宜、選択することができるが、耐久性のあるステンレス鋼等が好適に用いられる。
【００２２】
以上のように構成された形状保持具の使用方法について説明する。
図３は本発明の実施の形態１における形状保持具を備えたバグフィルタを示す要部破断斜視図、図４（ａ）は本発明の実施の形態１における形状保持具を備えたバグフィルタの要部断面側面図、図４（ｂ）は図４（ａ）の要部拡大図である。
図３及び図４（ａ）中、１５は本発明の実施の形態１における複数の固定具１と環状部材１０で構成された形状保持具、２０は複数のヒダ部２０ａを有し、水平断面が菊型の円筒状や楕円筒状に形成された成型フィルタ、２１は成型フィルタ２０の底部を閉塞する底蓋（図４（ａ））、３０は実施の形態１における形状保持具１５を備えたバグフィルタである。
尚、成型フィルタ２０の材質は、適宜、選択することができるが、耐熱性が必要とされる場合は、例えば、ガラス繊維のような耐熱性を持ち、かつ高温での形態安定性に優れた無機繊維の基布にポリテトラフルオロエチレン（ＰＴＦＥ）繊維やポリフェニレンサルファイド（ＰＰＳ）繊維のような耐熱性、濾過性に優れた有機繊維をニードルパンチなどにより植設することにより濾過層を形成したものが好適に用いられる。また、環状部材１０の周囲長は、成型フィルタ２０の内径よりもやや小さめに形成される。本実施の形態では、環状部材１０を一巻きのコイル状に形成したが、線材の端部を溶接するなどして、切れ目のない円形や楕円形などに形成してもよい。
【００２３】
図３において、成型フィルタ２０の複数のヒダ部２０ａに同一円周上に複数の固定具１が配設され、それらによって環状部材１０が保持されている。
同一面内に配設する固定具１の数は適宜、選択することができるが、３個乃至６個が好適に用いられる。固定具１の数が３個より少なくなるにつれ、環状部材１０を安定して保持することが困難になる傾向があり、６個より多くなるにつれ、部品点数が増え、組立作業が煩雑となって生産性が低下し易くなる傾向があることがわかったためである。固定具１の配置は適宜、選択することができるが、等角度間隔に配置した場合、固定具１によって挟持されるヒダ部２０ａの位置が偏ることがなく、成型フィルタ２０がいびつに変形することを防止することができる。
また、本実施の形態では、図４に示すように、複数の固定具１と環状部材１０を成型フィルタ２０の長手方向に略等間隔で３段に配置したが、固定具１と環状部材１０の長手方向の配置数や配置間隔は、成型フィルタ２０の断面積や長さ等に応じて、適宜、選択することができる。
【００２４】
次に、固定具１と環状部材１０の固定状態について詳細に説明する。
図３及び図４（ｂ）に示すように、固定具１は挟持部２により、成型フィルタ２０の内側でヒダ部２０ａを挟持する。固定具１は連結部８の弾性によってヒダ部２０ａを挟持するが、挟持片２ａ，２ｂの挟持面３ａ，３ｂに形成された凹凸部４ａ，４ｂ（図１（ｂ）参照）が噛み合うことにより確実にヒダ部２０ａを挟持することができる。尚、挟持面３ａ，３ｂに接着剤を塗布すれば、より強固にヒダ部２０ａへの固定を行うことができ、固定の安定性、確実性を向上させることができる。
環状部材１０は、固定具１の保持部６ａ（６ｂ）の上面側に形成された切り欠き部７ａから挿通され、係合部７ｂに係合されて保持されている。このとき、係止爪７ｃが連結部８側から凹凸部４ａ，４ｂ側に突出するように形成されているので、係止爪７ｃが環状部材１０の上端部に係止される。環状部材１０は、その弾性によって係合部７ｂに係合、保持されるが、係止爪７ｃにより環状部材１０をさらに確実に保持することができ、成型フィルタ２０を傾けたり、転倒させたりしても、環状部材１０が抜け落ちることがなく、固定の安定性、確実性に優れる。
【００２５】
尚、固定具１は、成型フィルタ２０を菊型に成形する前に、基布にヒダ部２０ａとなる折り目をつけ、平面上に展開した状態で簡便に取り付けることができる。全ての固定具１を取り付けてから基布の端部同士を接合することにより、断面菊型に形成される。
環状部材１０は、上段側に取り付けられた固定具１を避けるように傾けて下段の固定具１の位置まで挿入した後、水平状態にし、図２で説明したように、摘み部１０ａ，１０ｂを摘んで切り欠き部７ａの開口部の位置に略一致するまで拡径して切り欠き部７ａに挿入する。摘み部１０ａ，１０ｂから手を離せば、環状部材１０は復元力によって縮径しながら係合部７ｂに係合すると共に、係止爪７ｃに係止され、強固に保持される。同様にして、中段、上段の順に環状部材１０を取り付けることができる。
本実施の形態では、切り欠き部７ａ，係合部７ｂ，係止爪７ｃを固定具１の保持部６ａ，６ｂの上面側に形設したが、これらの位置はこれに限定されるものではなく、保持部６ａ，６ｂの下面側に形設してもよいし、連結部８の側部に形設してもよい。
【００２６】
以上のように構成された本発明の実施の形態１における形状保持具を備えたバグフィルタの動作について説明する。
図３及び図４において、通常の吸引濾過状態では、成型フィルタ２０の各部は内方に引っ張られるが、長手方向の要所に配設された環状部材１０により変形を規制し、成型フィルタ２０全体としての変形を抑えて、過度の変形や破損を防止する。
また、逆洗による粉塵の払い落とし時には、成型フィルタ２０の各部は外方に膨張するが、環状部材１０で連結された複数の固定具１により変形を規制し、成型フィルタ２０全体としての変形を抑えると共に、成型フィルタ２０が膨らんだままの状態となることを防止できる。逆洗後（パルスジェット噴出後）、環状部材１０の弾性により、強力に成型フィルタ２０を内方に引き戻して縮径させることができ、払い落とし力を強化することができるので、成型フィルタ２０の外周面に付着した粉塵の払い落としを効率的かつ確実に行うことができ、濾過効率の低下を防いで、長期にわたって濾過性能を維持することができる。
【００２７】
以上のように、本発明の実施の形態１における形状保持具は構成されているので、以下のような作用が得られる。
（１）固定具が、成型フィルタの内側でヒダ部を挟持する挟持部を有するので、挟持部で成型フィルタのヒダ部を挟持するだけで簡便に固定具を固定することができ、組立作業性に優れる。
（２）固定具が、挟持部に連設されヒダ部より成型フィルタの軸心側に突出する保持部を有するので、成型フィルタの複数のヒダ部に同一円周上に複数の固定具を配置することにより、成型フィルタの内周に沿うように環状部材を保持部で保持することができ、組立作業性、成型フィルタの形状保持性に優れる。
（３）環状部材が、同一円周上に配置される複数の固定具の保持部で保持されることにより、複数の固定具が環状部材で連結されるので、従来のリテーナのような縦線材が不要で、部品点数を低減して軽量化を図ることができ、量産性、省資源性に優れる。
（４）吸引濾過によって成型フィルタが内方に変形しようとしても、成型フィルタの内周に沿うように環状部材が配設された箇所では、成型フィルタの変形を防止することができるので、成型フィルタ全体として変形量を小さく抑えて破損の発生を低減でき、成型フィルタの耐久性、長寿命性に優れる。
（５）成型フィルタのヒダ部に固定された複数の固定具が環状部材を介して連結されることにより、パルスジェットによる逆洗時に成型フィルタが外方に変形しようとしても、環状部材が配設された箇所では、複数の固定具によって成型フィルタの変形を防止することができるので、成型フィルタ全体として変形量を抑えて破損の発生を低減でき、耐久性、長寿命性に優れると共に、環状部材と環状部材の間で外方に膨らんだ成型フィルタを内方に引き戻し、成型フィルタが膨らんだままになることを防止でき、形状保持性、払い落としの確実性に優れる。
（６）固定具の挟持部が、対向配置される一対の挟持片を有し、一対の挟持片の一端側が弾性を有する連結部で連結されているので、連結部の弾性により対向配置される挟持片の隙間を簡便に調整して成型フィルタのヒダ部への着脱を行うことができ、着脱作業性に優れる。
（７）固定具の挟持部が、各々の挟持片の挟持面に形成された凹凸部を有することにより、凹凸部の噛み合いによって成型フィルタのヒダ部を強固に挟持することができ、固定具の上下方向や前後方向への移動や抜けを確実に防止することができ、固定の確実性、安定性に優れる。
（８）固定具の保持部に、環状部材が係合される係合部を形設することにより、環状部材を確実に保持して複数の固定具を強固に連結することができ、少ない部品点数で、成型フィルタの内方及び外方への変形を効率的に防止でき、形状保持の安定性、確実性に優れる。
（９）環状部材を一巻きのコイル状に形成することにより、弾性によって半径方向に伸縮させることができ、成型フィルタの内方及び外方への変形を完全に拘束することなく、弾性的な微小変形を許容することにより、固定具の挟持部とヒダ部との間に応力が集中することを防ぎ、固定具の脱落や成型フィルタの破損等を防止でき、耐久性、長寿命性に優れる。
（１０）一巻きのコイル状に形成された環状部材が弾性を有するので、固定具の保持部に形設された切り欠き部の位置に略一致するように半径方向に拡大させた状態で環状部材を切り欠き部から挿通した後に、復元力によって環状部材を半径方向に収縮させながら係合部に係合させることにより、環状部材が係合部及び係止爪で強固に保持され、環状部材の脱落を確実に防止することができ、固定の安定性に優れる。
（１１）一巻きのコイル状に形成された環状部材の両端部から延設された摘み部又はその両端部近傍に突設された摘み部を有するので、摘み部を手で摘んで円周方向に移動させるだけで簡便に環状部材を半径方向に伸縮させてその直径を変化させることができ、固定具の保持部に形成された係合部への着脱を容易に行うことができ、着脱作業性に優れる。
（１２）成型フィルタと固定具或いは固定具と環状部材が、接着や溶接などの固定手段で固定されていないので、不具合が発生した場合に、容易に交換できると共に、成型フィルタの廃棄時に回収して繰り返し使用することができ、省資源性、環境保護性に優れる。
【００２８】
以上のように、本発明の実施の形態１における形状保持具を備えたバグフィルタは構成されているので、以下のような作用が得られる。
（１）成型フィルタに形状保持具を内設することにより、吸引濾過時における成型フィルタ（フィルタ本体）の要所における変形を抑え、成型フィルタの破損の発生を低減でき、耐久性、長寿命性に優れると共に、逆洗時に外方に膨らんだ成型フィルタを内方に引き戻し、成型フィルタが膨らんだままになることを防止でき、形状保持性に優れる。
（２）形状保持具を固定具と環状部材のみで構成し、従来のリテーナのような縦線材を使用しないので、部品点数を低減して軽量化を図ることができ、成型フィルタを長尺化して濾過性能を向上させることができる。
（３）形状保持具を成型フィルタに内設することにより、成型フィルタの濾過面積を低減させることなく、成型フィルタの形状を確実に保持することができると共に、粉塵の払い落としを確実に行って濾過性能の低下を防ぐことができ、濾過の効率性、安定性に優れる。
（４）形状保持具の複数の固定具と環状部材を、成型フィルタの長手方向に１段乃至複数段配設することにより、様々な長さの成型フィルタに対応してその形状を確実に保持することができ、設計自在性、汎用性に優れる。
（５）形状保持具の固定具の挟持部を、成型フィルタのヒダ部に接着することにより、固定具を確実かつ強固に固定することができ、固定の確実性、安定性、耐久性、形状保持の信頼性に優れる。
【００２９】
（実施の形態２）
図５（ａ）は実施の形態２における形状保持具を備えたバグフィルタを示す要部破断斜視図であり、図５（ｂ）は実施の形態２における形状保持具の要部拡大斜視図である。尚、実施の形態１と同様のものには同一の符号を付して説明を省略する。
図５において、実施の形態２における形状保持具１５Ａが、実施の形態１と異なるのは、固定具１Ａの連結部８の側部に切り欠き部７ｄと共に固定部７ｅが形設されている点と、環状部材１０の代わりに、コイルバネ状（弦巻バネ状）に形成され、隣接する固定具１Ａ同士を連結する複数の連結部材１０Ａを備えている点である。
尚、図５（ｂ）中、１０ｃは連結部材１０Ａの端部に形成され、固定部７ｅに係止されたフック状や環状の係止部である。
また、固定部７ｅとして、保持部６ａ，６ｂや連結部８に係止孔を設け、連結部材１０Ａのフック状の係止部１０ｃを係止するようにしてもよい。尚、固定部７ｅは、実施の形態１と同様に、保持部６ａ，６ｂの上面側や下面側に形設してもよい。
【００３０】
以上のように、本発明の実施の形態２における形状保持具は構成されているので、以下のような作用が得られる。
（１）固定具が、成型フィルタの内側でヒダ部を挟持する挟持部を有するので、挟持部で成型フィルタのヒダ部を挟持するだけで簡便に固定具を固定することができ、組立作業性に優れる。
（２）固定具が、挟持部に連設されヒダ部より成型フィルタの軸心側に突出する保持部を有するので、成型フィルタの複数のヒダ部に同一円周上に複数の固定具を配置することにより、隣接する固定具同士を連結部材で連結することができ、組立作業性、成型フィルタの形状保持性に優れる。
（３）連結部材が、同一円周上に配置される複数の固定具の隣接する固定具同士を連結することにより、複数の固定具が連結部材で連結されるので、従来のリテーナのような縦線材が不要で、部品点数を低減して軽量化を図ることができ、量産性、省資源性に優れる。
（４）吸引濾過によって成型フィルタが内方に変形しようとしても、成型フィルタの内周側に連結部材が配設された箇所では、成型フィルタの変形を防止することができるので、成型フィルタ全体として変形量を小さく抑えて破損の発生を低減でき、成型フィルタの耐久性、長寿命性に優れる。
（５）成型フィルタのヒダ部に固定された複数の固定具が連結部材を介して連結されることにより、パルスジェットによる逆洗時に成型フィルタが外方に変形しようとしても、連結部材が配設された箇所では、複数の固定具によって成型フィルタの変形を防止することができるので、成型フィルタ全体として変形量を抑えて破損の発生を低減でき、耐久性、長寿命性に優れると共に、連結部材間で外方に膨らんだ成型フィルタを内方に引き戻し、成型フィルタが膨らんだままになることを防止でき、形状保持性、払い落としの確実性に優れる。
（６）固定具の挟持部が、対向配置される一対の挟持片を有し、一対の挟持片の一端側が弾性を有する連結部で連結されるので、連結部の弾性により対向配置される挟持片の隙間を簡便に調整して成型フィルタのヒダ部への着脱を行うことができ、着脱作業性に優れる。
（７）固定具の挟持部が、各々の挟持片の挟持面に形成された凹凸部を有することにより、凹凸部の噛み合いによって成型フィルタのヒダ部を強固に挟持することができ、固定具の上下方向や前後方向への移動や抜けを確実に防止することができ、固定の確実性、安定性に優れる。
（８）固定具の連結部や保持部に、連結部材の端部が固定される固定部を形設した場合、隣接する固定具同士を連結部材で簡便に連結することができ、少ない部品点数で、成型フィルタの内方及び外方への変形を効率的に防止でき、形状保持の安定性、確実性に優れる。
（９）コイルバネ状に形成された連結部材が弾性を有するので、隣接する固定具の保持部に形設された固定部に、連結部材を伸張又は圧縮させた状態で固定することにより、連結部材が隣接する固定具間に強固に保持され、連結部材の脱落を確実に防止することができ、固定の安定性に優れる。
（１０）成型フィルタと固定具或いは固定具と連結部材が、接着や溶接などの固定手段で固定されていないので、不具合が発生した場合に、容易に交換できると共に、成型フィルタの廃棄時に回収して繰り返し使用することができ、省資源性、環境保護性に優れる。
【００３１】
以上のように、本発明の実施の形態２における形状保持具を備えたバグフィルタは構成されているので、以下のような作用が得られる。
（１）成型フィルタに形状保持具を内設することにより、吸引濾過時における成型フィルタ（フィルタ本体）の要所における変形を抑え、成型フィルタの破損の発生を低減でき、耐久性、長寿命性に優れると共に、逆洗時に外方に膨らんだ成型フィルタを内方に引き戻し、成型フィルタが膨らんだままになることを防止でき、形状保持性に優れる。
（２）形状保持具を固定具と連結部材のみで構成し、従来のリテーナのような縦線材を使用しないので、部品点数を低減して軽量化を図ることができ、成型フィルタを長尺化して濾過性能を向上させることができる。
（３）形状保持具を成型フィルタに内設することにより、成型フィルタの濾過面積を低減させることなく、成型フィルタの形状を確実に保持することができると共に、粉塵の払い落としを確実に行って濾過性能の低下を防ぐことができ、濾過の効率性、安定性に優れる。
（４）形状保持具の複数の固定具と連結部材を、成型フィルタの長手方向に１段乃至複数段配設することにより、様々な長さの成型フィルタに対応してその形状を確実に保持することができ、設計自在性、汎用性に優れる。
【産業上の利用可能性】
【００３２】
本発明は、構造が簡素で、部品点数が少なく、量産性に優れ、成型フィルタの内部に簡便に取り付けることができ、組立作業性に優れると共に、成型フィルタの内方及び外方への変形を確実に防止することができ、固定の安定性、形状保持の確実性に優れる形状保持具の提供及びその形状保持具を備えることにより、成型フィルタの形状を確実に保持することができ、吸引濾過時及び逆洗時の成型フィルタの変形を確実に防止して、成型フィルタの破損を防ぐことができ、濾過の効率性、濾過性能の安定性、成型フィルタの長寿命性に優れるバグフィルタの提供を行うことができ、既存の集塵機の濾過効率を改善し、フィルタの長寿命化を図って、省資源化、省エネルギー化、環境保護に貢献することができる。
【符号の説明】
【００３３】
１，１Ａ  固定具
２  挟持部
２ａ，２ｂ  挟持片
３ａ，３ｂ  挟持面
４ａ，４ｂ  凹凸部
５ａ  凸部
５ｂ  凹部
６ａ，６ｂ  保持部
７ａ，７ｄ  切り欠き部
７ｂ  係合部
７ｃ  係止爪
７ｅ  固定部
８  連結部
１０  環状部材
１０Ａ  連結部材
１０ａ，１０ｂ  摘み部
１０ｃ  係止部
１５，１５Ａ  形状保持具
２０  成型フィルタ（フィルタ本体）
２０ａ  ヒダ部
２１  底蓋
３０  バグフィルタ
【図１】
2010259978.tif 000003
【図２】
2010259978.tif 000004
【図３】
2010259978.tif 000005
【図４】
2010259978.tif 000006
【図５】
2010259978.tif 000007
【手続補正書】
【提出日】平成21年8月17日(2009.8.17)
【手続補正１】
【補正対象書類名】特許請求の範囲
【補正対象項目名】全文
【補正方法】変更
【補正の内容】
【特許請求の範囲】
【請求項１】
複数のヒダ部を有し水平断面が菊型に形成される成型フィルタと、前記成型フィルタに内設された形状保持具と、を有するバグフィルタであって、
前記形状保持具が、
（ａ）対向配置される一対の挟持片と各々の前記挟持片の挟持面に形成された凹凸部とを有し前記成型フィルタの内側で前記ヒダ部を挟持する挟持部と、前記挟持部の各々の前記挟持片から連設され前記ヒダ部より前記成型フィルタの軸心側に突出する保持部と、前記保持部に形設された係合部と、弾性を有し前記一対の挟持片を前記保持部側の端部で連結する連結部と、を有し、前記成型フィルタの複数の前記ヒダ部に同一円周上に配置された複数の固定具と、
（ｂ）一巻きのコイル状に形成され、その両端部から延設された摘み部若しくはその両端部近傍に突設された摘み部を備え、複数の前記固定具の前記係合部に係合され前記保持部で保持される環状部材と、
を備えたことを特徴とするバグフィルタ。
【請求項２】
前記形状保持具の前記固定具が、前記保持部の上面側に形設され前記形状保持具の前記環状部材が挿通される切り欠き部と、前記係合部の上方に前記切り欠き部側に突出するように形成された係止爪と、を備えたことを特徴とする請求項１に記載のバグフィルタ。
【請求項３】
前記形状保持具の複数の前記固定具と、前記環状部材が、前記成型フィルタの長手方向に１段乃至複数段配設されていることを特徴とする請求項１又は２に記載のバグフィルタ。
【手続補正３】
【補正対象書類名】明細書
【補正対象項目名】０００１
【補正方法】変更
【補正の内容】
【０００１】
本発明は、パルスジェット形の払い落とし機構を備えた集塵機に用いられる成形フィルタの形状を保持する形状保持具を備えたバグフィルタに関するものである。
【手続補正４】
【補正対象書類名】明細書
【補正対象項目名】０００５
【補正方法】変更
【補正の内容】
【０００５】
本発明は上記従来の課題を解決するもので、構造が簡素で、部品点数が少なく、量産性に優れ、成型フィルタの内部に簡便に取り付けることができ、組立作業性に優れると共に、成型フィルタの内方及び外方への変形を確実に防止することができ、固定の安定性、形状保持の確実性に優れる形状保持具を備えることにより、成型フィルタの形状を確実に保持することができ、吸引濾過時及び逆洗時の成型フィルタの変形を確実に防止して、成型フィルタの破損を防ぐことができ、濾過の効率性、濾過性能の安定性、成型フィルタの長寿命性に優れるバグフィルタの提供を目的とする。
【手続補正５】
【補正対象書類名】明細書
【補正対象項目名】０００６
【補正方法】変更
【補正の内容】
【０００６】
上記従来の課題を解決するために本発明のバグフィルタは、以下の構成を有している。
本発明の請求項１に記載のバグフィルタは、複数のヒダ部を有し水平断面が菊型に形成される成型フィルタと、前記成型フィルタに内設された形状保持具と、を有するバグフィルタであって、前記形状保持具が、（ａ）対向配置される一対の挟持片と各々の前記挟持片の挟持面に形成された凹凸部とを有し前記成型フィルタの内側で前記ヒダ部を挟持する挟持部と、前記挟持部の各々の前記挟持片から連設され前記ヒダ部より前記成型フィルタの軸心側に突出する保持部と、前記保持部に形設された係合部と、弾性を有し前記一対の挟持片を前記保持部側の端部で連結する連結部と、を有し、前記成型フィルタの複数の前記ヒダ部に同一円周上に配置された複数の固定具と、（ｂ）一巻きのコイル状に形成され、その両端部から延設された摘み部若しくはその両端部近傍に突設された摘み部を備え、複数の前記固定具の前記係合部に係合され前記保持部で保持される環状部材と、を備えた構成を有している。
この構成により、以下のような作用が得られる。
（１）固定具が、成型フィルタの内側でヒダ部を挟持する挟持部を有するので、挟持部で成型フィルタのヒダ部を挟持するだけで簡便に固定具を固定することができ、組立作業性に優れる。
（２）固定具が、挟持部に連設されヒダ部より成型フィルタの軸心側に突出する保持部を有するので、成型フィルタの複数のヒダ部に同一円周上に複数の固定具を配置することにより、成型フィルタの内周に沿うように環状部材を保持することができ、組立作業性、成型フィルタの形状保持性に優れる。
（３）環状部材が、同一円周上に配置される複数の固定具で保持されることにより、複数の固定具が環状部材で連結されるので、従来のリテーナのような縦線材が不要で、部品点数を低減して軽量化を図ることができ、量産性、省資源性に優れる。
（４）吸引濾過によって成型フィルタが内方に変形しようとしても、成型フィルタの内周側に環状部材が配設された箇所では、成型フィルタの変形を防止することができるので、成型フィルタ全体として変形量を小さく抑えて破損の発生を低減でき、成型フィルタの耐久性、長寿命性に優れる。
（５）成型フィルタのヒダ部に固定された複数の固定具が環状部材を介して連結されることにより、パルスジェットによる逆洗時に成型フィルタが外方に変形しようとしても、環状部材が配設された箇所では、複数の固定具によって成型フィルタの変形を防止することができるので、成型フィルタ全体として変形量を抑えて破損の発生を低減でき、耐久性、長寿命性に優れると共に、環状部材間で外方に膨らんだ成型フィルタを内方に引き戻し、成型フィルタが膨らんだままになることを防止でき、形状保持性に優れる。
（６）固定具の挟持部が、対向配置される一対の挟持片を有し、一対の挟持片の一端側が弾性を有する連結部で連結されるので、連結部の弾性により対向配置される挟持片の隙間を簡便に調整して成型フィルタのヒダ部への着脱を行うことができ、着脱作業性に優れる。
（７）固定具の挟持部が、各々の挟持片の挟持面に形成された凹凸部を有することにより、凹凸部の噛み合いによって成型フィルタのヒダ部を強固に挟持することができ、固定具の上下方向や前後方向への移動や抜けを確実に防止することができ、固定の確実性、安定性に優れる。
（８）固定具の保持部に、環状部材が係合される係合部を形設した場合、環状部材を確実に保持して複数の固定具を強固に連結することができ、少ない部品点数で、成型フィルタの内方及び外方への変形を効率的に防止でき、形状保持の安定性、確実性に優れる。
（９）一巻きのコイル状に形成した環状部材は、弾性によって固定具と共に半径方向に伸縮させることができ、成型フィルタの内方及び外方への変形を完全に拘束することなく、弾性的な微小変形を許容することにより、固定具の挟持部とヒダ部との間に応力が集中することを防ぎ、固定具の脱落や成型フィルタの破損等を防止でき、耐久性、長寿命性に優れる。
（１０）一巻きのコイル状に形成された環状部材が弾性を有するので、半径方向に収縮又は拡大させた状態で環状部材を係合部に係合させることにより、環状部材が係合部に強固に保持され、環状部材の脱落を確実に防止することができ、固定の安定性に優れる。
（１１）一巻きのコイル状に形成された環状部材の両端部から延設された摘み部又はその両端部近傍に突設された摘み部を有する場合、摘み部を手で摘んで円周方向に移動させるだけで簡便に環状部材を半径方向に伸縮させてその直径を変化させることができ、固定具の保持部に形成された係合部への着脱を容易に行うことができ、着脱作業性に優れる。
（１２）成型フィルタと固定具或いは固定具と環状部材が、接着や溶接などの固定手段で固定されていないので、不具合が発生した場合に、容易に交換できると共に、成型フィルタの廃棄時に回収して繰り返し使用することができ、省資源性、環境保護性に優れる。
（１３）成型フィルタに形状保持具を内設することにより、吸引濾過時における成型フィルタ（フィルタ本体）の要所における変形を抑え、成型フィルタの破損の発生を低減でき、耐久性、長寿命性に優れると共に、逆洗時に外方に膨らんだ成型フィルタを内方に引き戻し、成型フィルタが膨らんだままになることを防止でき、形状保持性に優れる。
（１４）形状保持具を固定具と環状部材のみで構成し、従来のリテーナのような縦線材を使用しないので、部品点数を低減して軽量化を図ることができ、成型フィルタを長尺化して濾過性能を向上させることができる。
（１５）形状保持具を成型フィルタに内設することにより、成型フィルタの濾過面積を低減させることなく、成型フィルタの形状を確実に保持することができると共に、粉塵の払い落としを確実に行って濾過性能の低下を防ぐことができ、濾過の効率性、安定性に優れる。
【手続補正６】
【補正対象書類名】明細書
【補正対象項目名】０００７
【補正方法】変更
【補正の内容】
【０００７】
ここで、固定具及び環状部材の材質は、使用される環境（温度）等に応じて、金属製や合成樹脂製のものも選択することができるが、耐久性のあるステンレス鋼や耐熱性及び機械的強度に優れた合成樹脂等が好適に用いられる。環状部材としては、成型フィルタの断面形状に合わせて、線材を溶接等で接合して略円形や略楕円形に形成されたものが好適に用いられるが、半径方向に弾性変形し易くなるように、切れ目を入れてもよい。
固定具は、挟持部により、成型フィルタの内側でヒダ部を挟持できるものであればよい。固定具は、保持部との係止や嵌合によって環状部材を保持するものが好適に用いられる。例えば、鉛直状の板材の保持部の上端部、下端部或いは側部等に円弧状に切り欠いた係合部を形成し、環状部材を係合してもよいし、バネ性を有する板材を略半円筒状に湾曲させて形成した嵌合部に環状部材を嵌合してもよい。
尚、固定具は、フィルタ本体にヒダ部となる折り目をつけ、平面上に展開した状態で簡便に取り付けることができ、全ての固定具を取り付けてから端部同士を接合し、菊型に形成すればよい。
【手続補正７】
【補正対象書類名】明細書
【補正対象項目名】０００９
【補正方法】変更
【補正の内容】
【０００９】
環状部材に代えて、複数の固定具の隣接する固定具同士を連結する連結部材を備えても良い。これにより、隣接する固定具同士を連結部材で連結することができ、組立作業性、成型フィルタの形状保持性に優れる。連結部材が、同一円周上に配置される複数の固定具の隣接する固定具同士を連結することにより、複数の固定具が連結部材で連結されるので、従来のリテーナのような縦線材が不要で、部品点数を低減して軽量化を図ることができ、量産性、省資源性に優れる。吸引濾過によって成型フィルタが内方に変形しようとしても、成型フィルタの内周側に連結部材が配設された箇所では、成型フィルタの変形を防止することができるので、成型フィルタ全体として変形量を小さく抑えて破損の発生を低減でき、成型フィルタの耐久性、長寿命性に優れる。成型フィルタのヒダ部に固定された複数の固定具が連結部材を介して連結されることにより、パルスジェットによる逆洗時に成型フィルタが外方に変形しようとしても、連結部材が配設された箇所では、複数の固定具によって成型フィルタの変形を防止することができるので、成型フィルタ全体として変形量を抑えて破損の発生を低減でき、耐久性、長寿命性に優れると共に、連結部材間で外方に膨らんだ成型フィルタを内方に引き戻し、成型フィルタが膨らんだままになることを防止でき、形状保持性に優れる。
連結部材の材質は、使用される環境（温度）等に応じて、金属製や合成樹脂製のものも選択することができるが、耐久性のあるステンレス鋼や耐熱性及び機械的強度に優れた合成樹脂等が好適に用いられる。連結部材としては、コイルバネ（弦巻バネ）のように弾性によって長さ方向に伸縮するものが好適に用いられる。
固定具の保持部に、連結部材の端部が固定される固定部が形設され、連結部材が、コイルバネ状に形成された構成を有している場合、隣接する固定具同士を連結部材で簡便に連結することができ、少ない部品点数で、成型フィルタの内方及び外方への変形を効率的に防止でき、形状保持の安定性、確実性に優れる。コイルバネ状に形成した連結部材は、弾性によって固定具と共に半径方向に伸縮させることができ、成型フィルタの内方及び外方への変形を完全に拘束することなく、弾性的な微小変形を許容することにより、固定具の挟持部とヒダ部との間に応力が集中することを防ぎ、固定具の脱落や成型フィルタの破損等を防止でき、耐久性、長寿命性に優れる。コイルバネ状に形成された連結部材が弾性を有するので、隣接する固定具の保持部に形設された固定部に、連結部材を伸張又は圧縮させた状態で固定することにより、連結部材が隣接する固定具間に強固に保持され、連結部材の脱落を確実に防止することができ、固定の安定性に優れる。固定具と連結部材が、接着や溶接などの固定手段で固定されていないので、不具合が発生した場合に、容易に交換できると共に、成型フィルタの廃棄時に回収して繰り返し使用することができ、省資源性、環境保護性に優れる。
【手続補正８】
【補正対象書類名】明細書
【補正対象項目名】００１０
【補正方法】変更
【補正の内容】
【００１０】
ここで、挟持片の挟持面に形成される凹凸部は、互いに噛み合うものが好適に用いられる。例えば、一方の挟持面に凸部を形成し、他方の挟持面の凸部に対応する位置に凹部を形成してもよいし、両方の挟持面に凸部又は凹部のいずれかをピッチをずらして形成してもよい。凸部及び凹部の形状としては、半球状、三角錐状、四角錐状などが好適に用いられる。また、凸部を卸し金の刃のようにかぎ爪状に形成した場合、凸部がヒダ部の表面に食い込んで位置ずれを防止でき、固定の安定性に優れる。凹凸部を構成する凸部及び凹部の数や配置は、挟持面の面積や形状に応じて、適宜、選択することができる。尚、凹凸部は、少なくとも挟持面の表面に凹凸が形成されていればよいが、凹部の代わりに、挟持片を貫通する嵌合孔を穿設してもよい。また、凸部や凹部の代わりに、凸条や凹条で網目状（格子状）やローレット状の凹凸部を形成してもよい。
固定具の保持部に形成される係合部の形状は、環状部材の直径よりも大きめの円弧状に形成することが好ましい。また、固定具の保持部に形成される固定部の形状は、連結部材の端部を固定できるものであればよい。例えば、連結部材の端部にフック状の係止部を形設し、固定具の保持部に固定部としてフック状の切り欠き部や係止孔を形設してもよいし、連結部材の端部に環状の係止部を形設し、固定具の保持部に固定部としてフック状の切り欠き部を形設してもよい。尚、係合部や固定部は、保持部ではなく、連結部に形成してもよい。
環状部材の摘み部は、一巻きのコイル状に形成された環状部材の両端部を折曲して形成してもよいし、両端部近傍に線材を溶接して形成してもよい。２箇所の摘み部は、それぞれ任意の方向に設けることができるが、同方向に設けた場合、片手で握って簡便に操作することができ、操作性に優れる。特に、鉛直方向や水平方向に設けた場合、握り易く、操作し易いので、好ましい。
【手続補正９】
【補正対象書類名】明細書
【補正対象項目名】００１１
【補正方法】変更
【補正の内容】
【００１１】
請求項２に記載の発明は、請求項１に記載のバグフィルタであって、前記形状保持具の前記固定具が
、前記保持部の上面側に形設され前記形状保持具の前記環状部材が挿通される切り欠き部と、前記係合部の上方に前記切り欠き部側に突出するように形成された係止爪と、を備えた構成を有している。
この構成により、請求項１で得られる作用に加え、以下のような作用が得られる。
（１）環状部材は、固定具の保持部の上面側に形成された切り欠き部から挿通され、係合部に係合されて保持されている。このとき、係止爪が連結部側から凹凸部側に突出するように形成されているので、係止爪が環状部材の上端部に係止される。環状部材は、その弾性によって係合部に係合、保持されるが、係止爪により環状部材をさらに確実に保持することができ、成型フィルタを傾けたり、転倒させたりしても、環状部材が抜け落ちることがなく、固定の安定性、確実性に優れる。
【手続補正１０】
【補正対象書類名】明細書
【補正対象項目名】００１２
【補正方法】変更
【補正の内容】
【００１２】
本発明の請求項３に記載の発明は、請求項１又は２に記載のバグフィルタであって、前記形状保持具の複数の前記固定具と、前記環状部材が、前記成型フィルタの長手方向に１段乃至複数段配設された構成を有している。
この構成により、請求項１又は２で得られる作用に加え、以下のような作用が得られる。
（１）形状保持具の複数の固定具と環状部材を、成型フィルタの長手方向に１段乃至複数段配設することにより、様々な長さの成型フィルタに対応してその形状を確実に保持することができ、設計自在性、汎用性に優れる。
【手続補正１１】
【補正対象書類名】明細書
【補正対象項目名】００１５
【補正方法】変更
【補正の内容】
【００１５】
以上のように、本発明のバグフィルタによれば、以下のような有利な効果が得られる。
請求項１に記載の発明によれば、
（１）挟持部で成型フィルタのヒダ部を挟持するだけで簡便に固定具を固定することができ、組立作業性に優れ、複数の固定具が環状部材を介して連結されることにより、吸引濾過時及び逆洗時における成型フィルタの内方及び外方への変形を抑え、成型フィルタの破損の発生を低減して、耐久性、長寿命性を向上させると共に、外方に膨らんだ成型フィルタを内方に引き戻して、成型フィルタが膨らんだままになることを防止できる形状保持性に優れた形状保持具を備えたバグフィルタを提供することができる。
（２）一巻きのコイル状に形成した環状部材が弾性を有することにより、成型フィルタの内方及び外方への変形を完全に拘束することがなく、弾性的な微小変形を許容して固定具の挟持部とヒダ部との間に応力が集中することを防ぎ、固定具の脱落や成型フィルタの破損等を防止できる耐久性、長寿命性に優れた形状保持具を備えたバグフィルタを提供することができる。
【手続補正１２】
【補正対象書類名】明細書
【補正対象項目名】００１６
【補正方法】変更
【補正の内容】
【００１６】
請求項２に記載の発明によれば、請求項１の効果に加え、
（１）環状部材は、その弾性によって係合部に係合、保持されるが、係止爪により環状部材をさらに確実に保持することができ、成型フィルタを傾けたり、転倒させたりしても、環状部材が抜け落ちることがなく、固定の安定性、確実性に優れる。
【手続補正１３】
【補正対象書類名】明細書
【補正対象項目名】００１７
【補正方法】変更
【補正の内容】
【００１７】
請求項３に記載の発明によれば、請求項１又は２の効果に加え、
（１）形状保持具が固定具と環状部材のみで構成され、複数の固定具が環状部材で連結されることにより、従来のリテーナのような縦線材を使用する必要がなく、部品点数を低減して軽量化を図ることができ、成型フィルタの長尺化が可能で、濾過性能を向上させることができるだけでなく、形状保持具が成型フィルタに内設されることにより、成型フィルタの濾過面積を低減させることなく成型フィルタの形状を確実に保持することができ、粉塵の払い落としを確実に行って濾過性能の低下を防ぐことができる濾過の効率性、安定性に優れた形状保持具を提供することができる。
【手続補正１４】
【補正対象書類名】明細書
【補正対象項目名】００１８
【補正方法】変更
【補正の内容】
【００１８】
【図１】（ａ）本発明の実施の形態１におけるバグフィルタに用いる形状保持具の固定具を示す斜視図（ｂ）本発明の実施の形態１におけるバグフィルタに用いる形状保持具の固定具を平面上に展開した状態を示す斜視図
【図２】本発明の実施の形態１におけるバグフィルタに用いる形状保持具の環状部材を示す斜視図
【図３】本発明の実施の形態１における形状保持具を備えたバグフィルタを示す要部破断斜視図
【図４】（ａ）本発明の実施の形態１における形状保持具を備えたバグフィルタの要部断面側面図（ｂ）図４（ａ）の要部拡大図
【図５】（ａ）参考例１における形状保持具を備えたバグフィルタを示す要部破断斜視図（ｂ）参考例１におけるバグフィルタに用いる形状保持具の要部拡大斜視図
【手続補正１５】
【補正対象書類名】明細書
【補正対象項目名】００１９
【補正方法】変更
【補正の内容】
【００１９】
以下、本発明を実施するための最良の形態を、図面を参照しながら説明する。
（実施の形態１）
図１（ａ）は本発明の実施の形態１におけるバグフィルタに用いる形状保持具の固定具を示す斜視図であり、図１（ｂ）は本発明の実施の形態１におけるバグフィルタに用いる形状保持具の固定具を平面上に展開した状態を示す斜視図である。
図１（ａ）中、１はステンレス鋼等の金属や合成樹脂等で形成された実施の形態１におけるバグフィルタに用いる形状保持具の固定具、２は一対の挟持片２ａ，２ｂが対向配置されて形成された固定具１の挟持部、６ａ，６ｂは挟持部２の各々の挟持片２ａ，２ｂから連設された固定具１の保持部、７ａは保持部６ａ，６ｂの上面側に形設され、後述する形状保持具の環状部材を挿通するための切り欠き部、７ｂは切り欠き部７ａの奥に略円弧状に形成され、切り欠き部７ａから挿通された環状部材が係合される係合部、７ｃは係合部７ｂの上方に切り欠き部７ａ側に突出するように形成された係止爪、８は断面略円弧状に形成されて弾性を有し、一対の挟持片２ａ，２ｂの一端側を連結する挟持部２の連結部である。
【手続補正１６】
【補正対象書類名】明細書
【補正対象項目名】００２１
【補正方法】変更
【補正の内容】
【００２１】
図２は本発明の実施の形態１におけるバグフィルタに用いる形状保持具の環状部材を示す斜視図である。
図２中、１０はステンレス鋼等の金属や合成樹脂等で略一巻きのコイル状に形成された実施の形態１におけるバグフィルタに用いる形状保持具の環状部材、１０ａ，１０ｂは環状部材１０の両端部から鉛直方向に延設された摘み部である。
環状部材１０が略一巻きのコイル状に形成されているので、弾性により半径方向に伸縮させることができる。このとき、両端部に摘み部１０ａ，１０ｂを有するので、摘み部１０ａ，１０ｂを手で握って近づける方向に移動させると、半径が大きくなり、手を離すと復元力により元の半径に戻る。
本実施の形態では、一巻きのコイル状に形成された環状部材１０の両端部を折曲して摘み部１０ａ，１０ｂを一体に形成したが、環状部材１０がステンレス鋼等の金属製の場合、両端部近傍に同種の金属製の線材を溶接して形成してもよい。尚、２箇所の摘み部１０ａ，１０ｂは、鉛直方向や水平方向などの同方向に設けることにより、片手で握って簡便に操作することができ、操作性に優れるが、それぞれ任意の方向に設けることもできる。
尚、固定具１及び環状部材１０の材質は、使用される環境（温度）等に応じて、金属や合成樹脂の中から、適宜、選択することができるが、耐久性のあるステンレス鋼等が好適に用いられる。
【手続補正１７】
【補正対象書類名】明細書
【補正対象項目名】００２２
【補正方法】変更
【補正の内容】
【００２２】
以上のように構成された形状保持具の使用方法について説明する。
図３は本発明の実施の形態１における形状保持具を備えたバグフィルタを示す要部破断斜視図、図４（ａ）は本発明の実施の形態１における形状保持具を備えたバグフィルタの要部断面側面図、図４（ｂ）は図４（ａ）の要部拡大図である。
図３及び図４（ａ）中、１５は本発明の実施の形態１におけるバグフィルタに用いる複数の固定具１と環状部材１０で構成された形状保持具、２０は複数のヒダ部２０ａを有し、水平断面が菊型の円筒状や楕円筒状に形成された成型フィルタ、２１は成型フィルタ２０の底部を閉塞する底蓋（図４（ａ））、３０は実施の形態１における形状保持具１５を備えたバグフィルタである。
尚、成型フィルタ２０の材質は、適宜、選択することができるが、耐熱性が必要とされる場合は、例えば、ガラス繊維のような耐熱性を持ち、かつ高温での形態安定性に優れた無機繊維の基布にポリテトラフルオロエチレン（ＰＴＦＥ）繊維やポリフェニレンサルファイド（ＰＰＳ）繊維のような耐熱性、濾過性に優れた有機繊維をニードルパンチなどにより植設することにより濾過層を形成したものが好適に用いられる。また、環状部材１０の周囲長は、成型フィルタ２０の内径よりもやや小さめに形成される。本実施の形態では、環状部材１０を一巻きのコイル状に形成したが、線材の端部を溶接するなどして、切れ目のない円形や楕円形などに形成してもよい。
【手続補正１８】
【補正対象書類名】明細書
【補正対象項目名】００２７
【補正方法】変更
【補正の内容】
【００２７】
以上のように、本発明の実施の形態１におけるバグフィルタは構成されているので、以下のような作用が得られる。
（１）固定具が、成型フィルタの内側でヒダ部を挟持する挟持部を有するので、挟持部で成型フィルタのヒダ部を挟持するだけで簡便に固定具を固定することができ、組立作業性に優れる。
（２）固定具が、挟持部に連設されヒダ部より成型フィルタの軸心側に突出する保持部を有するので、成型フィルタの複数のヒダ部に同一円周上に複数の固定具を配置することにより、成型フィルタの内周に沿うように環状部材を保持部で保持することができ、組立作業性、成型フィルタの形状保持性に優れる。
（３）環状部材が、同一円周上に配置される複数の固定具の保持部で保持されることにより、複数の固定具が環状部材で連結されるので、従来のリテーナのような縦線材が不要で、部品点数を低減して軽量化を図ることができ、量産性、省資源性に優れる。
（４）吸引濾過によって成型フィルタが内方に変形しようとしても、成型フィルタの内周に沿うように環状部材が配設された箇所では、成型フィルタの変形を防止することができるので、成型フィルタ全体として変形量を小さく抑えて破損の発生を低減でき、成型フィルタの耐久性、長寿命性に優れる。
（５）成型フィルタのヒダ部に固定された複数の固定具が環状部材を介して連結されることにより、パルスジェットによる逆洗時に成型フィルタが外方に変形しようとしても、環状部材が配設された箇所では、複数の固定具によって成型フィルタの変形を防止することができるので、成型フィルタ全体として変形量を抑えて破損の発生を低減でき、耐久性、長寿命性に優れると共に、環状部材と環状部材の間で外方に膨らんだ成型フィルタを内方に引き戻し、成型フィルタが膨らんだままになることを防止でき、形状保持性、払い落としの確実性に優れる。
（６）固定具の挟持部が、対向配置される一対の挟持片を有し、一対の挟持片の一端側が弾性を有する連結部で連結されているので、連結部の弾性により対向配置される挟持片の隙間を簡便に調整して成型フィルタのヒダ部への着脱を行うことができ、着脱作業性に優れる。
（７）固定具の挟持部が、各々の挟持片の挟持面に形成された凹凸部を有することにより、凹凸部の噛み合いによって成型フィルタのヒダ部を強固に挟持することができ、固定具の上下方向や前後方向への移動や抜けを確実に防止することができ、固定の確実性、安定性に優れる。
（８）固定具の保持部に、環状部材が係合される係合部を形設することにより、環状部材を確実に保持して複数の固定具を強固に連結することができ、少ない部品点数で、成型フィルタの内方及び外方への変形を効率的に防止でき、形状保持の安定性、確実性に優れる。
（９）環状部材を一巻きのコイル状に形成することにより、弾性によって半径方向に伸縮させることができ、成型フィルタの内方及び外方への変形を完全に拘束することなく、弾性的な微小変形を許容することにより、固定具の挟持部とヒダ部との間に応力が集中することを防ぎ、固定具の脱落や成型フィルタの破損等を防止でき、耐久性、長寿命性に優れる。
（１０）一巻きのコイル状に形成された環状部材が弾性を有するので、固定具の保持部に形設された切り欠き部の位置に略一致するように半径方向に拡大させた状態で環状部材を切り欠き部から挿通した後に、復元力によって環状部材を半径方向に収縮させながら係合部に係合させることにより、環状部材が係合部及び係止爪で強固に保持され、環状部材の脱落を確実に防止することができ、固定の安定性に優れる。
（１１）一巻きのコイル状に形成された環状部材の両端部から延設された摘み部又はその両端部近傍に突設された摘み部を有するので、摘み部を手で摘んで円周方向に移動させるだけで簡便に環状部材を半径方向に伸縮させてその直径を変化させることができ、固定具の保持部に形成された係合部への着脱を容易に行うことができ、着脱作業性に優れる。
（１２）成型フィルタと固定具或いは固定具と環状部材が、接着や溶接などの固定手段で固定されていないので、不具合が発生した場合に、容易に交換できると共に、成型フィルタの廃棄時に回収して繰り返し使用することができ、省資源性、環境保護性に優れる。
【手続補正１９】
【補正対象書類名】明細書
【補正対象項目名】００２８
【補正方法】変更
【補正の内容】
【００２８】
（１３）成型フィルタに形状保持具を内設することにより、吸引濾過時における成型フィルタ（フィルタ本体）の要所における変形を抑え、成型フィルタの破損の発生を低減でき、耐久性、長寿命性に優れると共に、逆洗時に外方に膨らんだ成型フィルタを内方に引き戻し、成型フィルタが膨らんだままになることを防止でき、形状保持性に優れる。
（１４）形状保持具を固定具と環状部材のみで構成し、従来のリテーナのような縦線材を使用しないので、部品点数を低減して軽量化を図ることができ、成型フィルタを長尺化して濾過性能を向上させることができる。
（１５）形状保持具を成型フィルタに内設することにより、成型フィルタの濾過面積を低減させることなく、成型フィルタの形状を確実に保持することができると共に、粉塵の払い落としを確実に行って濾過性能の低下を防ぐことができ、濾過の効率性、安定性に優れる。
（１６）形状保持具の複数の固定具と環状部材を、成型フィルタの長手方向に１段乃至複数段配設することにより、様々な長さの成型フィルタに対応してその形状を確実に保持することができ、設計自在性、汎用性に優れる。
（１７）形状保持具の固定具の挟持部を、成型フィルタのヒダ部に接着することにより、固定具を確実かつ強固に固定することができ、固定の確実性、安定性、耐久性、形状保持の信頼性に優れる。
【手続補正２０】
【補正対象書類名】明細書
【補正対象項目名】００２９
【補正方法】変更
【補正の内容】
【００２９】
（参考例１）
図５（ａ）は参考例１における形状保持具を備えたバグフィルタを示す要部破断斜視図であり、図５（ｂ）は参考例１におけるバグフィルタに用いる形状保持具の要部拡大斜視図である。尚、実施の形態１と同様のものには同一の符号を付して説明を省略する。
図５において、参考例１におけるバグフィルタに用いる形状保持具１５Ａが、実施の形態１と異なるのは、固定具１Ａの連結部８の側部に切り欠き部７ｄと共に固定部７ｅが形設されている点と、環状部材１０の代わりに、コイルバネ状（弦巻バネ状）に形成され、隣接する固定具１Ａ同士を連結する複数の連結部材１０Ａを備えている点である。
尚、図５（ｂ）中、１０ｃは連結部材１０Ａの端部に形成され、固定部７ｅに係止されたフック状や環状の係止部である。
また、固定部７ｅとして、保持部６ａ，６ｂや連結部８に係止孔を設け、連結部材１０Ａのフック状の係止部１０ｃを係止するようにしてもよい。尚、固定部７ｅは、実施の形態１と同様に、保持部６ａ，６ｂの上面側や下面側に形設してもよい。
【手続補正２１】
【補正対象書類名】明細書
【補正対象項目名】００３０
【補正方法】変更
【補正の内容】
【００３０】
以上のように、本発明の参考例１におけるバグフィルタは構成されているので、以下のような作用が得られる。
（１）固定具が、成型フィルタの内側でヒダ部を挟持する挟持部を有するので、挟持部で成型フィルタのヒダ部を挟持するだけで簡便に固定具を固定することができ、組立作業性に優れる。
（２）固定具が、挟持部に連設されヒダ部より成型フィルタの軸心側に突出する保持部を有するので、成型フィルタの複数のヒダ部に同一円周上に複数の固定具を配置することにより、隣接する固定具同士を連結部材で連結することができ、組立作業性、成型フィルタの形状保持性に優れる。
（３）連結部材が、同一円周上に配置される複数の固定具の隣接する固定具同士を連結することにより、複数の固定具が連結部材で連結されるので、従来のリテーナのような縦線材が不要で、部品点数を低減して軽量化を図ることができ、量産性、省資源性に優れる。
（４）吸引濾過によって成型フィルタが内方に変形しようとしても、成型フィルタの内周側に連結部材が配設された箇所では、成型フィルタの変形を防止することができるので、成型フィルタ全体として変形量を小さく抑えて破損の発生を低減でき、成型フィルタの耐久性、長寿命性に優れる。
（５）成型フィルタのヒダ部に固定された複数の固定具が連結部材を介して連結されることにより、パルスジェットによる逆洗時に成型フィルタが外方に変形しようとしても、連結部材が配設された箇所では、複数の固定具によって成型フィルタの変形を防止することができるので、成型フィルタ全体として変形量を抑えて破損の発生を低減でき、耐久性、長寿命性に優れると共に、連結部材間で外方に膨らんだ成型フィルタを内方に引き戻し、成型フィルタが膨らんだままになることを防止でき、形状保持性、払い落としの確実性に優れる。
（６）固定具の挟持部が、対向配置される一対の挟持片を有し、一対の挟持片の一端側が弾性を有する連結部で連結されるので、連結部の弾性により対向配置される挟持片の隙間を簡便に調整して成型フィルタのヒダ部への着脱を行うことができ、着脱作業性に優れる。
（７）固定具の挟持部が、各々の挟持片の挟持面に形成された凹凸部を有することにより、凹凸部の噛み合いによって成型フィルタのヒダ部を強固に挟持することができ、固定具の上下方向や前後方向への移動や抜けを確実に防止することができ、固定の確実性、安定性に優れる。
（８）固定具の連結部や保持部に、連結部材の端部が固定される固定部を形設した場合、隣接する固定具同士を連結部材で簡便に連結することができ、少ない部品点数で、成型フィルタの内方及び外方への変形を効率的に防止でき、形状保持の安定性、確実性に優れる。
（９）コイルバネ状に形成された連結部材が弾性を有するので、隣接する固定具の保持部に形設された固定部に、連結部材を伸張又は圧縮させた状態で固定することにより、連結部材が隣接する固定具間に強固に保持され、連結部材の脱落を確実に防止することができ、固定の安定性に優れる。
（１０）成型フィルタと固定具或いは固定具と連結部材が、接着や溶接などの固定手段で固定されていないので、不具合が発生した場合に、容易に交換できると共に、成型フィルタの廃棄時に回収して繰り返し使用することができ、省資源性、環境保護性に優れる。
【手続補正２２】
【補正対象書類名】明細書
【補正対象項目名】００３１
【補正方法】変更
【補正の内容】
【００３１】
（１１）成型フィルタに形状保持具を内設することにより、吸引濾過時における成型フィルタ（フィルタ本体）の要所における変形を抑え、成型フィルタの破損の発生を低減でき、耐久性、長寿命性に優れると共に、逆洗時に外方に膨らんだ成型フィルタを内方に引き戻し、成型フィルタが膨らんだままになることを防止でき、形状保持性に優れる。
（１２）形状保持具を固定具と連結部材のみで構成し、従来のリテーナのような縦線材を使用しないので、部品点数を低減して軽量化を図ることができ、成型フィルタを長尺化して濾過性能を向上させることができる。
（１３）形状保持具を成型フィルタに内設することにより、成型フィルタの濾過面積を低減させることなく、成型フィルタの形状を確実に保持することができると共に、粉塵の払い落としを確実に行って濾過性能の低下を防ぐことができ、濾過の効率性、安定性に優れる。
（１４）形状保持具の複数の固定具と連結部材を、成型フィルタの長手方向に１段乃至複数段配設することにより、様々な長さの成型フィルタに対応してその形状を確実に保持することができ、設計自在性、汎用性に優れる。
【手続補正２３】
【補正対象書類名】明細書
【補正対象項目名】００３２
【補正方法】変更
【補正の内容】
【００３２】
本発明は、構造が簡素で、部品点数が少なく、量産性に優れ、成型フィルタの内部に簡便に取り付けることができ、組立作業性に優れると共に、成型フィルタの内方及び外方への変形を確実に防止することができ、固定の安定性、形状保持の確実性に優れる形状保持具を備えることにより、成型フィルタの形状を確実に保持することができ、吸引濾過時及び逆洗時の成型フィルタの変形を確実に防止して、成型フィルタの破損を防ぐことができ、濾過の効率性、濾過性能の安定性、成型フィルタの長寿命性に優れるバグフィルタの提供を行うことができ、既存の集塵機の濾過効率を改善し、フィルタの長寿命化を図って、省資源化、省エネルギー化、環境保護に貢献することができる。